(57)【要約】【課題】  ページング制御を実現するネットワークのトラフィックを軽減することを可能とする。【解決手段】  本発明は、制御装置ＰＡが、移動端末ＭＮ＃１宛てのパケットを受信した場合に、移動端末ＭＮ＃１のページングエリアに対してページング通知パケットを送信することによって、移動端末ＭＮ＃１の位置情報を取得して当該パケットの転送先を決定するページング制御を実現するネットワークで用いられる制御装置ＰＡに関する。本発明に係る制御装置ＰＡは、ページングエリアを構成する複数のルータ装置ＡＲ１乃至ＡＲ３に対して、ページング通知パケットを送信するページング通知パケット送信部２５を具備する。複数のルータ装置ＡＲ１乃至ＡＲ３は、受信したページング通知パケットをマルチキャスト方式で移動端末ＭＮ＃１宛てに送信する。【選択図】  図６
2005033786.tif 000002
【特許請求の範囲】
【請求項１】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークシステムであって、
前記制御装置は、前記ページングエリアを構成する複数のルータ装置に対して、前記ページング通知パケットを送信し、
前記複数のルータ装置は、受信した前記ページング通知パケットを、マルチキャスト方式で複数のアクセスポイントに送信し、
前記複数のアクセスポイントは、前記ページング通知パケットのＩＰアドレスが所定のＩＰアドレスであると判定された場合、該ページング通知パケットを、リンク接続を介してマルチキャスト方式で前記移動端末宛てに送信することを特徴とするネットワークシステム。
【請求項２】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークにおいて、
前記ページングエリアを構成する複数のルータ装置に対して、前記ページング通知パケットを送信するページング通知パケット送信部を具備し、
前記複数のルータ装置は、受信した前記ページング通知パケットを、マルチキャスト方式で前記移動端末宛てに送信することを特徴とする制御装置。
【請求項３】
前記ページング通知パケット送信部は、ユニキャスト方式で、前記複数のルータ装置の各々に対して、前記ページング通知パケットを送信することを特徴とする請求項２に記載の制御装置。
【請求項４】
前記ページング通知パケット送信部は、前記複数のルータ装置を示す情報を含む前記ページング通知パケットを送信することを特徴とする請求項２に記載の制御装置。
【請求項５】
前記移動端末と、前記複数のルータ装置から構成されるマルチキャストグループとを関連付けて管理する管理部を具備し、
前記ページング通知パケット送信部は、前記マルチキャストグループ宛てに、前記ページング通知パケットを送信することを特徴とする請求項２に記載の制御装置。
【請求項６】
前記管理部は、前記移動端末と、該移動端末から受信したページング要求パケットで指示された前記複数のルータ装置から構成される前記マルチキャストグループとを関連付けて管理し、
前記複数のルータ装置に対して、前記マルチキャストグループに参加を促すマルチキャスト参加パケットを送信するマルチキャスト参加パケット送信部を具備することを特徴とする請求項５に記載の制御装置。
【請求項７】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークにおいて、
受信したパケットが、前記ページング通知パケットであるか否かについて判定する判定部と、
前記パケットが前記ページング通知パケットであると判定された場合、マルチキャスト方式で前記パケットを前記移動端末宛てに送信するページング通知パケット送信部とを具備することを特徴とするルータ装置。
【請求項８】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークにおいて、
前記ページング通知パケットに含まれるルータ装置を示す情報に応じて、該ページング通知パケットのルーティグ先を決定するルーティング決定部と、
前記ページング通知パケットを受信した場合、該ページング通知パケットに含まれる複数のルータ装置を示す情報に応じて決定された複数のルーティング先ごとに、該ページング通知パケットを複製して転送する転送部とを具備することを特徴とするルータ装置。
【請求項９】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークにおいて、
複数のルータ装置から構成されるマルチキャストグループを管理するマルチキャストグループ管理部と、
前記ページングエリアを形成するために前記移動端末から送信されたページング要求パケットに含まれるマルチキャストグループの識別情報に応じて、該マルチキャストグループを構成する前記複数のルータ装置に対して、前記ページング要求パケットを送信するページング要求パケット送信部とを具備することを特徴とするルータ装置。
【請求項１０】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークにおいて、
リンク接続を制御するリンク制御部と、
受信した前記ページング通知パケットのＩＰアドレスが、所定のＩＰアドレスであるか否かについて判定する判定部とを具備し、
前記リンク制御部は、前記ページング通知パケットのＩＰアドレスが前記所定のＩＰアドレスであると判定された場合、該ページング通知パケットを、前記リンク接続を介してマルチキャスト方式で前記移動端末宛てに送信することを特徴とするアクセスポイント。
【請求項１１】
前記ページング通知パケットのＩＰアドレスが前記所定のＩＰアドレスであると判定された場合で、かつ、前記移動端末との間でリンク接続が確立されていると判断された場合、該ページング通知パケットに対する応答であるページング通知確認パケットを、前記制御装置に対して送信するページング通知確認パケット送信部を具備することを特徴とする請求項１０に記載のアクセスポイント。
【請求項１２】
制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークにおいて、
前記ページングエリアを形成するためのページング要求パケットを送信するページング要求パケット送信部を具備し、
前記ページング要求パケット送信部は、前記ページング要求パケットにおいて、前記ページングエリアを構成する複数のルータ装置によって構成されるマルチキャストグループへの参加を指示することを特徴とする移動端末。
【発明の詳細な説明】
【技術分野】
【０００１】
本発明は、ページング制御を実現するネットワークシステム、当該ネットワークシステムにおいて用いられる制御装置、ルータ装置、アクセスポイント及び移動端末に関する。
【背景技術】
【０００２】
従来から知られている移動通信システムにおけるページング制御は、各移動通信システムに設けられたリンク層の制御インタフェースを用いて行われる（例えば、特許文献１参照）。しかしながら、かかるページング制御は、リンク層の異なる移動通信システムに渡って実現することができないという問題点があった。
【０００３】
かかる問題点を解決するために、制御装置（ページングエージェント）が、移動端末（ホスト、モバイルノード）宛てのパケットを受信した場合に、当該移動端末のページングエリアに対してページング通知パケットを送信することによって、当該移動端末の位置情報（例えば、サブネットプリフィクスやＩＰアドレス）を取得して該パケットの転送先を決定するＩＰページング制御が知られている。ＩＰページング制御では、上述のページングエリアを、ＩＰ層のサブネット単位で構成することによって、異なる移動通信システムに渡ってリンク層の差異を隠蔽したページング制御を実現することができる（例えば、非特許文献１参照）。
【０００４】
また、ＭｏｂｉｌｅＩＰｖ４を拡張して、複数のＦＡ（Ｆｏｒｅｉｇｎ  Ａｇｅｎｔ）を代表するＦＡや、ページングエリアを管理するページングエージェントによってページング制御を行うＰ-ＭＩＰ技術が知られている。
【特許文献１】特開２００３-１１０４９８号
【非特許文献１】ＩＥＴＦ  ＲＦＣ３１５４
【発明の開示】
【発明が解決しようとする課題】
【０００５】
しかしながら、従来のＩＰページング制御では、標準的なユニキャスト方式で、個別にページング通知パケットを、ページングエリアを構成する全てのサブネット宛てに送信するため、送信負荷が高いという問題点があった。
【０００６】
また、従来のＩＰページング制御では、アクセスルータが、ページング通知パケットを送信する前に、ＡＲＰ（Ａｄｄｒｅｓｓ  Ｒｅｓｏｌｕｔｉｏｎ  Ｐｒｏｔｏｃｏｌ）やＮＤＰ（Ｎｅｉｇｈｂｏｒ  Ｄｉｓｃｏｖｅｒｙ  Ｐｒｏｔｏｃｏｌ）等の近隣探索プロトコルに基づいた近隣探索パケットを送信しなければならず、限られた無線リソースを無駄に消費するという問題点があった。
【０００７】
また、従来のＩＰページング制御では、アクセスルータが、自らのサブネットプレフィックスを持つユニキャストアドレスを宛先としたページング通知パケットを受信した際に送信した近隣探索パケットに対して応答がなかった場合には、制御装置に対して、ページング通知パケットが届かないことを示すＩＣＭＰ（Ｉｎｔｅｒｎｅｔ  Ｃｏｎｔｒｏｌ  Ｍｅｓｓａｇｅ  Ｐｒｏｔｏｃｏｌ）エラーパケットを送信するため、当該制御装置においてＩＣＭＰエラーパケットの応答が集中するという問題点があった。
【０００８】
ここで、ＩＣＭＰは、ＴＣＰ/ＩＰにおいて、その機能を補助するために用意された制御用プロトコルであり、ＴＣＰ/ＩＰパケットの転送中において発生した各種エラーの通知や、動作の確認等を行うために利用されるものである。
【０００９】
そこで、本発明は、以上の点に鑑みてなされたもので、ページング制御を実現するネットワークのトラフィックを軽減することを可能とするネットワークシステム、制御装置、ルータ装置、アクセスポイント及び移動端末を提供することを目的とする。
【課題を解決するための手段】
【００１０】
本発明の第１の特徴は、ページング制御を実現するネットワークにおいて用いられる制御装置であって、ページングエリアを構成する複数のルータ装置に対して、ページング通知パケットを送信するページング通知パケット送信部を具備し、前記複数のルータ装置が、受信した前記ページング通知パケットを、マルチキャスト方式で前記移動端末宛てに送信することを要旨とする。
【００１１】
また、かかる発明によれば、アクセスルータが、ユニキャスト方式に基づく近隣探索パケットを生じさせること無く、ページング通知パケットを移動端末に到達させることができ、また、制御装置（ページングエージェント）においてＩＣＭＰエラーパケットの集中という問題も解決することができる。
【００１２】
本発明の第１の特徴において、前記ページング通知パケット送信部が、ユニキャスト方式で、前記複数のルータ装置の各々に対して、前記ページング通知パケットを送信することが好ましい。
【００１３】
かかる発明によれば、制御装置（ページングエージェント）のページング通知パケット送信部が、ページングエリアを構成する複数のルータ装置（アクセスルータ）に対して、ユニキャスト方式でページング通知パケットを送信するため、ネットワーク内で、ページング通知パケットのトラフィック量を軽減することができる。
【００１４】
また、本発明の第１の特徴において、前記ページング通知パケット送信部が、前記複数のルータ装置を示す情報を含む前記ページング通知パケットを送信することが好ましい。
【００１５】
かかる発明によれば、制御装置（ページングエージェント）のページング通知パケット送信部が、ページングエリアを構成する複数のルータ装置（アクセスルータ）を示す情報を含む１つのページング通知パケットを送信するため、ネットワーク内で、ページング通知パケットのトラフィック量を軽減することができる。
【００１６】
また、本発明の第１の特徴において、前記移動端末と、前記複数のルータ装置から構成されるマルチキャストグループとを関連付けて管理する管理部を具備し、前記ページング通知パケット送信部が、前記マルチキャストグループ宛てに、前記ページング通知パケットを送信することが好ましい。
【００１７】
また、本発明の第１の特徴において、前記管理部が、前記移動端末と、該移動端末から受信したページング要求パケットで指示された前記複数のルータ装置から構成される前記マルチキャストグループとを関連付けて管理し、前記複数のルータ装置に対して、前記マルチキャストグループに参加を促すマルチキャスト参加パケットを送信するマルチキャスト参加パケット送信部を具備することが好ましい。
【００１８】
本発明の第２の特徴は、ページング制御を実現するネットワークで用いられるルータ装置であって、受信したパケットが前記ページング通知パケットであるか否かについて判定する判定部と、前記パケットが前記ページング通知パケットであると判定された場合、マルチキャスト方式で前記パケットを前記移動端末宛てに送信するページング通知パケット送信部とを具備することを要旨とする。
【００１９】
本発明の第３の特徴は、ページング制御を実現するネットワークで用いられるルータ装置であって、前記ページング通知パケットに含まれるルータ装置を示す情報に応じて、該ページング通知パケットのルーティグ先を決定するルーティング決定部と、前記ページング通知パケットを受信した場合、該ページング通知パケットに含まれる複数のルータ装置を示す情報に応じて決定された複数のルーティング先ごとに、該ページング通知パケットを複製して転送する転送部とを具備することを要旨とする。
【００２０】
本発明の第４の特徴は、ページング制御を実現するネットワークで用いられるルータ装置であって、複数のルータ装置から構成されるマルチキャストグループを管理するマルチキャストグループ管理部と、前記ページングエリアを形成するために前記移動端末から送信されたページング要求パケットに含まれるマルチキャストグループの識別情報に応じて、該マルチキャストグループを構成する前記複数のルータ装置に対して、前記ページング要求パケットを送信するページング要求パケット送信部とを具備することを要旨とする。
【００２１】
かかる発明によれば、中継ルータが、ページングエリアを構成するアクセスルータに対して、移動端末から送信されたページング要求パケットを複製して転送することによって、マルチキャストの転送経路を構築するため、ページングエージェントによるマルチキャスト参加パケットの送信負荷を抑制することができる。
【００２２】
本発明の第５の特徴は、ページング制御を実現するネットワークで用いられるアクセスポイントであって、リンク接続を制御するリンク制御部と、受信した前記ページング通知パケットのＩＰアドレスが、所定のＩＰアドレスであるか否かについて判定する判定部とを具備し、前記リンク制御部が、前記ページング通知パケットのＩＰアドレスが前記所定のＩＰアドレスであると判定された場合、該ページング通知パケットを、前記リンク接続を介してマルチキャスト方式で前記移動端末宛てに送信することを要旨とする。
【００２３】
本発明の第５の特徴において、前記ページング通知パケットのＩＰアドレスが前記所定のＩＰアドレスであると判定された場合で、かつ、前記移動端末との間でリンク接続が確立されていると判断された場合、該ページング通知パケットに対する応答であるページング通知確認パケットを、前記制御装置に対して送信するページング通知確認パケット送信部を具備することが好ましい。
【００２４】
本発明の第６の特徴は、ページング制御を実現するネットワークで用いられる移動端末であって、前記ページングエリアを形成するためのページング要求パケットを送信するページング要求パケット送信部を具備し、前記ページング要求パケット送信部が、前記ページング要求パケットにおいて、前記ページングエリアを構成する複数のルータ装置によって構成されるマルチキャストグループへの参加を指示することを要旨とする。
【００２５】
本発明の第７の特徴は、制御装置が、移動端末宛てのパケットを受信した場合に、該移動端末のページングエリアに対してページング通知パケットを送信することによって、該移動端末の位置情報を取得して該パケットの転送先を決定するページング制御を実現するネットワークシステムであって、前記制御装置が、前記ページングエリアを構成する複数のルータ装置に対して、前記ページング通知パケットを送信し、前記複数のルータ装置が、受信した前記ページング通知パケットを、マルチキャスト方式で複数のアクセスポイントに送信し、前記複数のアクセスポイントが、前記ページング通知パケットのＩＰアドレスが所定のＩＰアドレスであると判定された場合、該ページング通知パケットを、リンク接続を介してマルチキャスト方式で前記移動端末宛てに送信することを要旨とする。
【発明の効果】
【００２６】
以上説明したように、本発明によれば、ページング制御を実現するネットワークのトラフィックを軽減することを可能とするネットワークシステム、制御装置、ルータ装置、アクセスポイント及び移動端末を提供することができる。
【発明を実施するための最良の形態】
【００２７】
図１は、本発明の第１乃至第４の実施形態におけるページング制御を実現するネットワークを示す図である。かかるネットワークは、図１に示すように、ページングエージェント（Ｐａｇｉｎｇ  Ａｇｅｎｔ）ＰＡと、複数の中継ルータＩＲ１乃至ＩＲ４と、複数のアクセスルータＡＲ１乃至ＡＲ５と、アクセスポイント（Ａｃｃｅｓｓ  Ｐｏｉｎｔ）ＡＰ１ａ乃至ＡＰ１ｎ、ＡＰ２ａ乃至ＡＰ２ｎとを具備するものである。
【００２８】
また、かかるネットワークには、様々な移動通信システムや有線通信システムが混在しているものとする。すなわち、本実施形態に係るページングエージェントＰＡ１乃至ＰＡｍは、サブネットプリフィクスやＩＰアドレス等を用いたＩＰ層でモバイルノードＭＮのルーティング情報を管理するため、様々な移動通信システムや有線通信システムに加入しているモバイルノード（Ｍｏｂｉｌｅ  Ｎｏｄｅ）ＭＮであっても、同じ枠組みで管理することができる。
【００２９】
上述の実施形態では、モバイルノードＭＮ＃１は、アクセスポイントＡＰ１ａに接続されている状態から、アクセスポイントＡＰ２ａに接続されている状態に移行するものとする。また、上述の実施形態では、モバイルノードＭＮ＃１のページングエリアは、アクセスルータＡＲ１乃至ＡＲ３で構成されるものとする。
【００３０】
（本発明の第１の実施形態の構成）
図２乃至図４を参照して、本発明の第１の実施形態の構成について説明する。
【００３１】
モバイルノードＭＮは、通常モードとページング制御モードの２モードで動作可能な移動端末である。モバイルノードＭＮは、通常モードでは、Ｍｏｂｉｌｅ  ＩＰ（ＭＩＰ）又はその拡張技術によるモビリティマネージメント動作を行う。一方、モバイルノードＭＮ＃１は、ページング制御モードでは、かかるモビリティマネージメント動作を停止し、ページングエージェントＰＡに状態を登録した上で、パケット受信に専念して、ページングエリア内か否かを判定する機能を有する。
【００３２】
図２に示すように、モバイルノードＭＮ＃１は、モード切替部１１と、通常モード用制御部１２と、ページング制御モード用制御部１３と、ページング要求パケット送信部１４と、ページング通知パケット受信部１５と、ページング通知確認パケット送信部１６とを具備する。
【００３３】
モード切替部１１は、モバイルノードＭＮ＃１のユーザによる操作に応じて、通常モードとページング制御モードの２モードを切り替えるものである。また、モード切替部１１は、ページング通知パケットを受信すると、ページング制御モードで動作している状態から、通常モードで動作する状態に、モバイルノードＭＮを切り替えるように構成されている。
【００３４】
通常モード用制御部１２は、モバイルノードＭＮ＃１を、上述の通常モードで動作させるための制御を行うものである。ページング制御モード用制御部１３は、モバイルノードＭＮ＃１を、上述のページング制御モードで動作させるための制御を行うものである。
【００３５】
ページング要求パケット送信部１４は、ページング制御モード用制御部１３からの指示に応じて、ページングエージェントＰＡに対して、ページングエリアを形成するためのページング要求パケットを送信するものである。
【００３６】
例えば、ページング要求パケット送信部１４は、ページングエリアを構成する複数のアクセスルータＡＲ１乃至ＡＲ３を示す情報（例えば、アクセスルータＡＲ１乃至ＡＲ３配下のＩＰアドレスのリストや、又は、アクセスルータＡＲ１乃至ＡＲ３配下のサブネットプリフィクスの集合）を含むページング要求パケットを送信する。ここで、ページング要求パケットは、ＩＰヘッダと、ページング制御ヘッダとによって構成されており、上述の複数のアクセスルータＡＲ１乃至ＡＲ３を示す情報は、当該ページング制御ヘッダに含まれている。
【００３７】
ページング通知パケット受信部１５は、ページングエージェントＰＡから送信されたページング通知パケットを受信して、その旨をページング制御モード用制御部１３に通知するものである。具体的には、ページング通知パケット受信部１５は、アクセスポイントＡＰ２ａからマルチキャスト方式で送信されたページング通知パケットを受信する。
【００３８】
例えば、ページング通知パケット受信部１５は、ＩＧＭＰ（Ｉｎｔｅｒｎｅｔ  Ｇｒｏｕｐ  Ｍａｎａｇｅｍｅｎｔ  Ｐｒｏｔｏｃｏｌ）やＭＬＤ（Ｍｕｌｔｉｃａｓｔ  Ｌｉｓｔｅｎｅｒ  Ｄｉｓｃｏｖｅｒｙ）に対応するものであり、受信したＩＰパケット内のマルチキャストアドレスのグループＩＤがページング通知パケットを表す値である場合や、当該ＩＰパケットのリンク層アドレス（ＭＡＣアドレス）が所定のマルチキャストグループに属するものである場合に、モバイルノードＭＮ＃１宛てのページング通知パケットを認識する。ここで、ＩＧＭＰ及びＭＬＤは、それぞれＩＰｖ４又はＩＰｖ６マルチキャストをサポートするルータ装置が、同一物理ネットワーク上に存在するマルチキャストグループのメンバーの存在を知るために用いられるプロトコルである。
【００３９】
ページング通知確認パケット送信部１６は、ページング制御モード用制御部１３からの指示に応じて、アクセスポイントＡＰ２ａと通信している状態でページング通知パケットを受信した旨（モバイルノードＭＮ＃１の位置情報、すなわち、アクセスルータＡＲ３配下のサブネットプリフィクス）を通知するページング通知確認パケットを送信するものである。
【００４０】
ページングエージェントＰＡは、図３に示すように、ページング要求パケット受信部２１と、ページングエリア形成部２２と、ページングエリア管理部２３と、パケット検出部２４と、ページング通知パケット送信部２５と、ページング通知確認パケット受信部２６と、パケット転送部２７と、マルチキャスト参加パケット送信部２８とを具備する制御装置である。
【００４１】
ページング要求パケット受信部２１は、モバイルノードＭＮ＃１から送信されたページング要求パケットを受信してページングエリア形成部２２に送信するものである。
【００４２】
ページングエリア形成部２２は、受信したページング要求パケットに基づいて、モバイルノードＭＮ＃１のページングエリアを形成するものである。例えば、ページングエリア形成部２２は、受信したページング要求パケットに含まれるアクセスルータＡＲ１乃至ＡＲ３を示す情報から、モバイルノード＃１のページングエリアを、アクセスルータＡＲ１乃至ＡＲ３から構成されるページングエリアとする。
【００４３】
ページングエリア管理部２３は、モバイルノード＃１のページングエリアを管理するものである。例えば、ページングエリア管理部２３は、「モバイルノードＩＤ」と「アクセスルータＩＤ」とを関連付けて記憶する。ここで、「アクセスルータＩＤ」は、ページングエリアを構成するアクセスルータＡＲ１乃至ＡＲ３配下のＩＰアドレスのリストであってもよいし、当該アクセスルータＡＲ１乃至ＡＲ３配下のサブネットプリフィクスであってもよい。
【００４４】
パケット検出部２４は、モバイルノードＭＮ＃１宛てのＩＰパケットを検出してバッファリングすると共に、その旨をページング通知パケット送信部２５に通知するものである。また、パケット検出部２４は、パケット転送部２７からの指示に応じて、バッファリングしているモバイルノードＭＮ＃１宛てのＩＰパケットを送信する。
【００４５】
ページング通知パケット送信部２５は、パケット検出部２４からの通知に応じて、モバイルノードＭＮ＃１のページングエリアを構成するアクセスルータＡＲ１乃至ＡＲ３に対して、ページング通知パケットを送信するものである。
【００４６】
具体的には、ページング通知パケット送信部２５は、ユニキャスト方式で、アクセスルータＡＲ１乃至ＡＲ３の各々に対して、順次、ページング通知パケットを送信する。
【００４７】
ここで、ページング通知パケットは、ＩＰヘッダと、ページング制御ヘッダと、情報部とによって構成されている。ページング通知パケットのＩＰヘッダには、宛先アドレスとして、アクセスルータＡＲ１乃至ＡＲ３の各々のユニキャストＩＰアドレスが含まれており、発信元アドレスとして、ページングエージェントＰＡのＩＰアドレスが含まれている。また、ページング通知パケットの情報部には、モバイルノードＭＮ＃１のホームアドレスが含まれている。
【００４８】
また、ページング通知パケット送信部２５は、ページング通知パケットを送信する際に、「Ｒｅｓｅｒｖｅｄ  ＩＰｖ６  ｓｕｂｎｅｔ  ａｎｙｃａｓｔ  ａｄｄｒｅｓｓｅｓ、ＲＦＣ２５２６、Ｍａｒｃｈ、１９９９」に記載されている「サブネットルータユニキャストアドレス（サブネットを指定するためのアドレス）」を用いて、ページングエリアを構成するアクセスルータＡＲを指定するように構成されていてもよい。
【００４９】
具体的には、中継ルータＩＲは、サブネットルータユニキャストアドレスを含むページング通知パケットをユニキャストルーティングで転送する。当該サブネットに合致するルータは、当該サブネットに割り当てられたインタフェース上で有効なマルチキャストアドレスに変換して当該ページング通知パケットを送信する。若しくは、当該サブネットに合致するルータは、受信したページング通知パケットに対してカプセル化解除処理を行い、ページング対象となるモバイルノードＭＮを特定するアドレスを宛先としたページング通知パケットを送信する。
【００５０】
ページング通知確認パケット受信部２６は、モバイルノードＭＮ＃１から送信されたページング通知確認パケットを受信して、その旨をパケット転送部２７に通知するものである。
【００５１】
パケット転送部２７は、受信したページング通知確認パケットに対応するＩＰパケットをパケット検出部２４から抽出し、抽出したＩＰパケットを、ページング通知確認パケットに含まれるモバイルノードＭＮ＃１の位置情報（サブネットプリフィクスやＩＰアドレス等）に基づいて転送するものである。
【００５２】
アクセスルータＡＲは、中継ルータＩＲ及びアクセスポイントＡＰに接続されているルータ装置である。図４に示すように、アクセスルータＡＲは、パケット受信部３１と、マルチキャストアドレス管理部３２と、ページング通知パケット送信部３３と、パケットルーティング部３４と、ルーティングテーブル管理部３５とを具備している。
【００５３】
パケット受信部３１は、中継ルータＩＲから転送されたＩＰパケット（ページング通知パケットを含む）を受信するものである。また、パケット受信部３１は、受信したＩＰパケット内のプロトコル識別子やヘッダ番号等によって、ページング通知パケットであると認識した場合は、当該ＩＰパケットをページング通知パケット送信部３３に送信し、そうでない場合、当該ＩＰパケットをパケットルーティング部３４に送信する。
【００５４】
マルチキャストアドレス管理部３２は、ページング通知パケットの属するマルチキャストグループのグループＩＤやＭＡＣアドレス等を管理するものである。
【００５５】
ページング通知パケット送信部３３は、受信したページング通知パケットを、マルチキャスト方式で、モバイルノードＭＮ＃１宛てに送信するものである。具体的には、ページング通知パケット送信部３３は、ＩＧＭＰやＭＬＤを用いて、対向リンク内で有効なマルチキャストアドレスを宛先として、ページング通知パケットを、配下のインタフェース上に送信する。
【００５６】
パケットルーティング部３４は、ルーティングテーブルを参照して、ページング通知パケット以外のＩＰパケットをルーティングするものである。ルーティングテーブル管理部３５は、上述のルーティングテーブルを管理するものである。
【００５７】
（本発明の第１の実施形態の動作）
図５及び図６を参照して、本実施形態の全体動作について説明する。
【００５８】
ステップ１０１において、モバイルノードＭＮ＃１が、アクセスルータＡＲ１乃至ＡＲ３から構成されるページングエリアを形成するためのページング要求パケットを、アクセスポイントＡＰ１ａとアクセスルータＡＲ１と中継ルータＩＲ２と中継ルータＩＲ１とを介して、ページングエージェントＰＡに送信する。
【００５９】
ステップ１０２において、ページングエージェントＰＡが、受信したページング要求パケットに含まれるアクセスルータＡＲ１乃至ＡＲ３を示す情報に基づいて、モバイルノードＭＮ＃１のページングエリアを形成する。
【００６０】
ステップ１０３において、ページングエージェントＰＡが、モバイルノードＭＮ＃１宛てのＩＰパケットを受信する。ここで、モバイルノードＭＮ＃１は、アクセスポイントＡＰ１ａと通信している状態から、アクセスポイントＡＰ２ａと通信している状態に移行しているものとする。
【００６１】
ステップ１０４において、ページングエージェントＰＡが、ページング通知パケットを、ユニキャスト方式で、アクセスルータＡＲ１乃至ＡＲ３の各々に対して順次送信する。
【００６２】
ステップ１０５において、アクセスルータＡＲ１乃至ＡＲ３は、それぞれアクセスルータＡＲ１乃至ＡＲ３宛てのページング通知パケットを受信したことを認識すると、マルチキャスト方式で、当該ページング通知パケットを送信する。
【００６３】
ステップ１０６において、ページング通知パケットを受信したモバイルノードＭＮ＃１は、通常モードによる動作を開始し、通信中であるアクセスポイントＡＰ２ａとアクセスルータＡＲ３と中継ルータＩＲ３と中継ルータＩＲ２と中継ルータＩＲ１とを介して、ページングエージェントＰＡに対して、モバイルノードＭＮ＃１の位置情報（例えば、アクセスルータＡＲ３配下のサブネットプリフィクス）を含むページング通知確認パケットを送信する。
【００６４】
ステップ１０７において、ページングエージェントＰＡは、ページング通知確認パケットに含まれるモバイルノードＭＮ＃１の位置情報（例えば、アクセスルータＡＲ３配下のサブネットプリフィクス）に基づいて、バッファリングしていたモバイルノードＭＮ＃１宛てのＩＰパケットを転送する。
【００６５】
（本発明の第１の実施形態の作用・効果）
本発明の第１の実施形態によれば、ページングエージェントＰＡが、ページングエリアを構成するアクセスルータＡＲ１乃至ＡＲ３に対して、ユニキャスト方式でページング通知パケットを送信するため、ネットワーク内で、ページング通知パケットのトラフィック量を軽減することができる。
【００６６】
また、本発明の第１の実施形態によれば、アクセスルータＡＲ１乃至ＡＲ３が、ユニキャスト方式に基づく近隣探索パケットを生じさせること無く、ページング通知パケットをモバイルノードＭＮ＃１に到達させることができ、また、ページングエージェントＰＡにおいてＩＣＭＰエラーパケットの集中という問題も解決することができる。
【００６７】
（本発明の第２の実施形態）
図７乃至図９を参照して、本発明の第２の実施形態について説明する。以下、主として、本実施形態について、上述の第１の実施形態との相違点について説明する。
【００６８】
本実施形態に係るページングエージェントＰＡのページング通知パケット送信部２５は、アクセスルータＡＲ１乃至ＡＲ３を示す情報（例えば、アクセスルータＡＲ１乃至ＡＲ３のＩＰアドレスのリスト）を含む１つのページング通知パケットを送信するように構成されている。
【００６９】
本実施形態に係る中継ルータＩＲは、図７に示すように、パケット受信部４１と、ページング通知パケット送信部４３と、パケットルーティング部４４と、ルーティングテーブル管理部４５とを具備する。
【００７０】
パケット受信部４１は、ページングエージェントＰＡ又は他の中継ルータＩＲ等から送信されたＩＰパケット（ページング通知パケットやページング通知確認パケットやページング要求パケットを含む）を受信するものである。また、パケット受信部４１は、受信したＩＰパケット内のプロトコル識別子やヘッダ番号等によって、ページング通知パケットであると認識した場合は、当該ＩＰパケットをページング通知パケット送信部４３に送信し、そうでない場合、当該ＩＰパケットをパケットルーティング部４４に送信する。
【００７１】
ページング通知パケット送信部４３は、パケット受信部４１から送信されたページング通知パケットに含まれるアクセスルータＡＲを示す情報（例えば、アクセスルータＡＲ１乃至ＡＲ３のＩＰアドレスのリスト）に応じて、当該ページング通知パケットのルーティグ先を決定するルーティング決定部を構成する。また、パケット受信部４１からページング通知パケットを受信した場合、当該ページング通知パケットに含まれるアクセスルータＡＲ１乃至ＡＲ３を示す情報に応じて決定された複数のルーティング先ごとに、当該ページング通知パケットを複製して転送する転送部を構成する。
【００７２】
具体的には、ページング通知パケット送信部４３は、ルーティングテーブル管理部４５により管理されているルーティングテーブルと上述のアクセスルータＡＲ１乃至ＡＲ３のＩＰアドレスのリストとを参照して、ルーティング先ごとに当該リストを分割して、分割した当該リストの各々を含むページング通知パケットを生成して各ルーティング先に転送する。
【００７３】
パケットルーティング部４４は、ルーティングテーブルを参照して、ページング通知パケット以外のＩＰパケットをルーティングするものである。ルーティングテーブル管理部４５は、上述のルーティングテーブルを管理するものである。
【００７４】
次に、図８及び図９を参照して、本実施形態の全体動作について説明する。ステップ２０１乃至２０３は、上述の第１の実施形態におけるステップ１０１乃至１０３と同一の動作である（図５および図６参照）。
【００７５】
ステップ２０４において、ページングエージェントＰＡが、アクセスルータＡＲ１乃至ＡＲ３を示す情報（アクセスルータＡＲ１乃至ＡＲ３のＩＰアドレスのリスト）を含むページング通知パケットを、中継ルータＩＲ１に送信する。中継ルータＩＲ１は、受信した当該ページング通知パケットを、中継ルータＩＲ２に転送する。
【００７６】
ステップ２０５において、中継ルータＩＲ２が、受信した当該ページング通知パケットに含まれるアクセスルータＡＲ１乃至ＡＲ３を示す情報とルーティングテーブルとに応じて、当該ページング通知パケットを複製する。具体的には、中継ルータＩＲ２は、アクセスルータＡＲ１を示す情報を含むページング通知パケットを生成してアクセスルータＡＲ１に転送すると共に、アクセスルータＡＲ２及びＡＲ３を示す情報を含むページング通知パケットを生成して中継ルータＩＲ３に転送する。
【００７７】
ステップ２０６において、中継ルータＩＲ３が、受信した当該ページング通知パケットに含まれるアクセスルータＡＲ２及びＡＲ３を示す情報とルーティングテーブルとに応じて、当該ページング通知パケットを複製する。具体的には、中継ルータＩＲ３は、アクセスルータＡＲ２を示す情報を含むページング通知パケットを生成してアクセスルータＡＲ２に転送すると共に、アクセスルータＡＲ３を示す情報を含むページング通知パケットを生成してアクセスルータＡＲ３に転送する。
【００７８】
ステップ２０７において、アクセスルータＡＲ３は、当該アクセスルータＡＲ３宛てのページング通知パケットを受信したことを認識すると、マルチキャスト方式で、当該ページング通知パケットを送信する。
【００７９】
ステップ２０８及び２０９は、上述の第１の実施形態におけるステップ１０６及び１０７と同一の動作である（図５及び図６参照）。
【００８０】
（本発明の第３の実施形態）
図１０乃至図１４を参照して、本発明の第３の実施形態について説明する。以下、主として、本実施形態について、上述の第１及び第２の実施形態との相違点について説明する。
【００８１】
本実施形態に係るモバイルノードＭＮ＃１のページング要求パケット送信部１４は、ページングエリアを構成するアクセルルータＡＲ１乃至ＡＲ３を示す情報と、マルチキャストグループＧ１に参加する旨の指示（Ｊｏｉｎ（＊，Ｇ１））とを含むページング要求パケットを、ページングエージェントＰＡに対して送信する。
【００８２】
また、本実施形態に係るページングエージェントＰＡのページングエリア管理部２３は、図１０に示すように、「モバイルノードＩＤ」と「マルチキャストグループＩＤ」とを関連付けて管理する。すなわち、本実施形態に係るページングエージェントＰＡでは、モバイルノードＭＮ＃１のページングエリアとして、マルチキャストグループＧ１を管理する。
【００８３】
また、ページングエージェントＰＡのページング通知パケット送信部２５は、モバイルノードＭＮ＃１のページングエリアとして管理されているマルチキャストグループＧ１宛てに、マルチキャスト方式でページング通知パケットを送信する。
【００８４】
本実施形態に係る中継ルータＩＲは、図１１に示すように、上述の第２の実施形態に係る中継ルータＩＲの構成（図７参照）に加えて、ページング要求パケット送信部４６及びマルチキャストグループ管理部４７を具備する。
【００８５】
ここで、パケット受信部４１は、ページング要求パケットを受信した場合、当該ページング要求パケットをページング要求パケット送信部４６に送信する。
【００８６】
ページング要求パケット送信部４６は、ルーティングテーブル管理部４５を参照して、当該ページング要求パケットに含まれるアクセスルータＡＲ１乃至ＡＲ３が、当該中継ルータＩＲよりも下流方向に存在する場合、マルチキャストグループＧ１に参加する旨の指示を含むページング要求パケットを当該アクセスルータＡＲ宛てに送信する。また、ページング要求パケット送信部４６は、マルチキャストグループ管理部４７に、マルチキャストグループＧ１に係る情報を登録する。また、ページング要求パケット送信部４６は、当該ページング要求パケットを上流方向に転送する。
【００８７】
マルチキャストグループ管理部４７は、複数のアクセスルータＡＲ１乃至ＡＲ３から構成されるマルチキャストグループＧ１を管理するものである。
【００８８】
次に、図１２乃至図１４を参照して、本実施形態の全体動作について説明する。
【００８９】
ステップ３０１において、モバイルノードＭＮ＃１は、アクセスルータＡＲ１乃至ＡＲ３が属するマルチキャストグループＧ１により構成されるページングエリアを形成するためのページング要求パケットを、アクセスポイントＡＰ１ａとアクセスルータＡＲ１とを介して、中継ルータＩＲ２に送信する。
【００９０】
中継ルータＩＲ２は、ステップ３０２において、下流方向に存在するアクセスルータＡＲ１乃至ＡＲ３に対して、マルチキャストグループＧ１への参加を指示する当該ページング要求パケットを送信すると共に、ステップ３０３において、上流方向に存在する中継ルータＩＲ１を介して、ページングエージェントＰＡに対して、当該ページング要求パケットを送信する。
【００９１】
ステップ３０４において、ページングエージェントＰＡが、受信したページング要求パケットに含まれるアクセスルータＡＲ１乃至ＡＲ３を示す情報及びマルチキャストグループＧ１への参加指示に基づいて、モバイルノードＭＮ＃１のページングエリアを形成する。
【００９２】
ステップ３０５において、ページングエージェントＰＡが、モバイルノードＭＮ＃１宛てのＩＰパケットを受信する。ここで、モバイルノードＭＮ＃１は、アクセスポイントＡＰ１ａと通信している状態から、アクセスポイントＡＰ２ａと通信している状態に移行しているものとする。
【００９３】
ステップ３０６において、ページングエージェントＰＡが、マルチキャストグループＧ１の識別情報を含むページング通知パケットを、マルチキャスト方式で送信する。
【００９４】
ステップ３０７において、中継ルータＩＲ２は、受信したページング通知パケットをマルチキャスト方式で送信し、ステップ３０８において、中継ルータＩＲ３は、受信したページング通知パケットをマルチキャスト方式で送信する。
【００９５】
ステップ３０９において、アクセスルータＡＲ３は、マルチキャストグループＧ１宛てのページング通知パケットを受信したことを認識すると、マルチキャスト方式で、当該ページング通知パケットを送信する。
【００９６】
ステップ３１０及び３１１は、上述の第１の実施形態におけるステップ１０６及び１０７と同一の動作である。
【００９７】
また、モバイルノードＭＮ＃１は、ページング要求パケットと同様の方式で、ページング通知確認パケットに、マルチキャストグループの離脱指示を含めることによって、ページング通知パケットに対する応答と同時に、マルチキャストグループＧ１についての転送設定を解除することができる。
【００９８】
本実施形態によれば、中継ルータが、ページングエリアを構成するアクセスルータに対して、移動端末から送信されたページング要求パケットを複製して転送することによって、マルチキャストの転送経路を構築するため、ページングエージェントによるマルチキャスト参加パケットの送信負荷を抑制することができる。
【００９９】
（本発明の第４の実施形態）
図１５乃至図１７を参照して、本発明の第４の実施形態について説明する。以下、主として、本実施形態について、上述の第１乃至第３の実施形態との相違点について説明する。
【０１００】
本実施形態に係るページングエージェントＰＡは、図１５に示すように、上述の第１の実施形態に係るページングエージェントＰＡの構成に加えて、マルチキャスト参加パケット送信部２８を具備する。
【０１０１】
また、ページングエリア形成部２２は、モバイルノードＭＮ＃１から送信されたページング要求パケットに含まれるアクセスルータＡＲ１乃至ＡＲ３を示す情報に基づいて、ページングエリアを形成する。具体的には、ページングエリア形成部２２は、アクセスルータＡＲ１乃至ＡＲ３によって構成されるマルチキャストグループＧ１を、モバイルノードＭＮ＃１のページングエリアとする。
【０１０２】
ページングエリア管理部２３は、「モバイルノードＩＤ」と「マルチキャストグループＩＤ」と「ルータＩＤ」とを関連付けて管理する。
【０１０３】
マルチキャスト参加パケット送信部２８は、モバイルノードＭＮ＃１のページングエリアを形成した際、アクセスルータＡＲ１乃至ＡＲ３に対して、マルチキャストグループＧ１に参加を促すマルチキャスト参加パケットを送信する。
【０１０４】
次に、図１６及び図１７を参照して、本実施形態の全体動作について説明する。
【０１０５】
ステップ４０１において、モバイルノードＭＮ＃１は、アクセスルータＡＲ１乃至ＡＲ３から構成されるページングエリアを形成するためのページング要求パケットを、アクセスポイントＡＰ１ａとアクセスルータＡＲ１と中継ルータＩＲ２と中継ルータＩＲ１とを介して、ページングエージェントＰＡに送信する。
【０１０６】
ステップ４０２において、ページングエージェントＰＡが、受信したページング要求パケットに含まれるアクセスルータＡＲ１乃至ＡＲ３を示す情報に基づいて、モバイルノードＭＮ＃１のページングエリアを形成する。具体的には、ページングエージェントＰＡは、アクセスルータＡＲ１乃至ＡＲ３によって構成されるマルチキャストグループＧ１を、モバイルノードＭＮ＃１のページングエリアとして形成する。
【０１０７】
ステップ４０３において、ページングエージェントＰＡが、マルチキャストグループＧ１への参加指示を含むマルチキャスト参加パケットを、アクセスルータＡＲ１乃至ＡＲ３に対して送信する。アクセスルータＡＲ１乃至ＡＲ３は、受信したマルチキャスト参加パケットに応じて、マルチキャストグループＧ１への参加処理を行う。
【０１０８】
ステップ４０４において、ページングエージェントＰＡが、モバイルノードＭＮ＃１宛てのＩＰパケットを受信する。ここで、モバイルノードＭＮ＃１は、アクセスポイントＡＰ１ａと通信している状態から、アクセスポイントＡＰ２ａと通信している状態に移行しているものとする。
【０１０９】
ステップ４０５乃至４１０は、上述の第３の実施形態におけるステップ３０６乃至３１１と同一の動作である。
【０１１０】
また、モバイルノードＭＮ＃１は、ページング要求パケットと同様の方式で、ページング通知確認パケットに、マルチキャストグループの離脱指示を含めることによって、ページング通知パケットに対する応答と同時に、マルチキャストグループＧ１についての転送設定を解除することができる、すなわち、不要となったマルチキャスト転送ツリーを削除することができる。
【０１１１】
（本発明の第５の実施形態）
図１８を参照して、本発明の第５の実施形態について説明する。本実施形態では、アクセスポイントＡＰが、ページングエージェントＰＡから送信されたページング通知パケットを、マルチキャスト方式でモバイルノードＭＮ＃１に送信することを特徴とする。
【０１１２】
アクセスポイントＡＰは、有線又は無線で、モバイルノードＭＮ＃１に接続されるものである。例えば、アクセスポイントＡＰとして、無線基地局等が挙げられる。
【０１１３】
図１８に示すように、アクセスポイントＡＰは、物理インタフェース５１と、リンク制御部５２と、ＩＰ制御部５３と、ブリッジ制御部５４と、ＩＰページング制御部５５と、複数のリンクインタフェースＩＦ１乃至ＩＦｎとを具備する。
【０１１４】
物理インタフェース５１は、ネットワーク側のアクセスルータＡＲとの間の物理層を制御するものである。リンク制御部５２は、ネットワーク側のアクセスルータＡＲとの間のリンク層を制御するものである。
【０１１５】
ＩＰ制御部５３は、ＩＰ層を制御するものである。具体的には、ＩＰ制御部５３は、物理インタフェース５１とリンク制御部５２とを介してアクセスルータＡＲから送信されたＩＰパケットのＩＰアドレスが、所定のＩＰアドレス（すなわち、当該アクセスポイントＡＰに割り当てられているＩＰアドレス）であるか否かについて、すなわち、上述のＩＰパケットが、当該アクセスポイントＡＰ宛てのＩＰパケットであるか否かについて判定する。ＩＰ制御部５３は、当該アクセスポイント宛てのＩＰパケットでない場合、当該ＩＰパケットをそのままブリッジ制御部５４に送信する。一方、当該アクセスポイント宛てのＩＰパケットである場合、当該ＩＰパケットをＩＰページング制御部５５に送信する。
【０１１６】
ブリッジ制御部５４は、複数のリンクインタフェースＩＦ１乃至ＩＦｎとＩＰ制御部５３との間のブリッジング処理や、複数のリンクインタフェースＩＦ１乃至ＩＦｎとＩＰページング制御部５５との間のブリッジング処理を行うものである。
【０１１７】
ＩＰページング制御部５５は、ＩＰ制御部５３から送信されたＩＰパケットが、ページング通知パケット（又は、ページング通知確認パケット）であるか否かについて判定する。
【０１１８】
ＩＰページング制御部５５は、ＩＰ制御部５３から送信されたＩＰパケットが、ページング通知パケットであると判定した場合、ブリッジ制御部５４及び複数のリンクインタフェースＩＦ１乃至ＩＦｎを介して、当該ページング通知パケットを、マルチキャスト方式でモバイルノードＭＮ＃１宛てに送信する。
【０１１９】
ここで、ＩＰページング制御部５５は、受信したページング通知パケット内の宛先ＩＰアドレスを、特定のリンクインタフェースＩＦ内で有効なマルチキャストアドレスに変更するように構成されていてもよい。
【０１２０】
また、ＩＰページング制御部５５は、ＭＰＬＳのようなモバイルノードＭＮ＃１との間で予め定めた既知の識別子を用いたリンク層信号によって、少ない情報量（オーバヘッド）で、当該ページング通知パケットのモバイルノードＭＮ＃１への到達を確認するように構成されていてもよい。かかる場合、ＩＰページング制御部５５は、当該ページング通知パケットのモバイルノードＭＮ＃１への到達を確認すると、その旨を通知するページング通知確認パケットを、ブリッジ制御部５４とリンク制御部５２と物理インタフェース５１とを介して、当該ページング通知確認パケットを、ページングエージェントＰＡ宛てに送信する。
【０１２１】
また、ＩＰページング制御部５５は、ページング通知パケット内に示された指標や、アクセスポイントＡＰ内で予め設定されている属性情報等に基づいて、適切なリンクインタフェースＩＦのポートを指定した上で、当該ページング通知パケットをブリッジ制御部５４に送信するように構成されていてもよい。
【０１２２】
また、ＩＰページング制御部５５は、ＩＰ制御部５３から送信されたＩＰパケットが、ページング通知確認パケットであると判定した場合、ブリッジ制御部５４とリンク制御部５２と物理インタフェース５１とを介して、当該ページング通知確認パケットを、ページングエージェントＰＡ宛てに送信する。
【０１２３】
リンクインタフェースＩＦは、リンク制御部ａと、ＭＡＣテーブルｂと、物理インタフェースｃとを具備している。リンク制御部ａは、モバイルノードＭＮ＃１との間のリンク接続を制御するものである。また、ＭＡＣテーブルｂは、当該リンクインタフェースＩＦによって通信可能なモバイルノードＭＮのＭＡＣアドレスを管理するものである。
【０１２４】
本実施形態によれば、ページングエリアの最小単位を、無線基地局単位や、リンクインタフェース単位とすることができる。
【０１２５】
（変更例１）
図１９を参照して、上述の第５の実施形態の変更例１について説明する。
【０１２６】
本変更例では、ＩＰページング制御部５５は、受信したページング通知パケットのＩＰアドレスが、所定のＩＰアドレス（すなわち、当該アクセスポイントＡＰに割り当てられたＩＰアドレス）であると判定された場合で、かつ、モバイルノードＭＮ＃１との間でリンク接続が確立されていると判断された場合、当該ページング通知パケットに対する応答であるページング通知確認パケットを、ページングエージェントＰＡに対して送信するように構成されている。
【０１２７】
具体的には、ＩＰページング制御部５５は、当該アクセスポイントＡＰ宛てのページング通知パケットを受信した場合、複数のリンクインタフェースＩＦ１乃至ＩＦｎ内のＭＡＣテーブルｂを参照して、当該ページング通知パケットに係るモバイルノードＭＮ＃１のＭＡＣアドレスの存在を確認すると、当該モバイルノードＭＮ＃１へのＩＰパケットの到達が可能であると判断して、ページング通知確認パケットを生成してページングエージェントＰＡに対して送信する。
【０１２８】
ここで、モバイルノードＭＮ＃１は、ページング制御モードで動作している場合、アクセスポイントＡＰの切り換えに際し、ａｓｓｏｃｉａｔｉｏｎ手順を事項して、アクセスポイントＡＰのａｓｓｏｃｉａｔｉｏｎテーブル（ＭＡＣテーブルに対応）に、モバイルノードＭＮ＃１のＭＡＣアドレスを登録する。
【０１２９】
したがって、ＩＰページング制御部５５は、ページング通知パケットに付加されているモバイルノードＭＮ＃１のＭＡＣアドレスが、ａｓｓｏｃｉａｔｉｏｎテーブルに登録されていれば、モバイルノードＭＮ＃１に対してＩＰパケットが到達可能であると判断して、無線区間にＩＰパケットを送信することなく、ページングエージェントＰＡに対してページング通知パケットを返送することができる。
【０１３０】
本変更例によれば、アクセスポイントＡＰが、リンク層制御で、ページング通知パケットのモバイルノードＭＮ＃１への送達確認を代行することで、無線区間のリソース消費を抑えることができる。
【図面の簡単な説明】
【０１３１】
【図１】本発明に係るネットワークの概要を説明するための図である
【図２】本発明の第１の実施形態に係るモバイルノードの機能ブロック図である。
【図３】本発明の第１の実施形態に係るページングエージェントの機能ブロック図である。
【図４】本発明の第１の実施形態に係るアクセスルータの機能ブロック図である。
【図５】本発明の第１の実施形態における全体動作を示すシーケンス図である。
【図６】本発明の第１の実施形態において、ページング通知パケットを送信する動作を説明するための図である。
【図７】本発明の第２の実施形態に係る中継ルータの機能ブロック図である。
【図８】本発明の第２の実施形態における全体動作を示すシーケンス図である。
【図９】本発明の第２の実施形態において、ページング通知パケットを送信する動作を説明するための図である。
【図１０】本発明の第３の実施形態に係るページングエージェントにおけるページングエリア管理部の管理する情報の一例を示す図である。
【図１１】本発明の第３の実施形態に係る中継ルータの機能ブロック図である。
【図１２】本発明の第３の実施形態における全体動作を示すシーケンス図である。
【図１３】本発明の第３の実施形態において、ページング要求パケットを送信する動作を説明するための図である。
【図１４】本発明の第３の実施形態において、ページング通知パケットを送信する動作を説明するための図である。
【図１５】本発明の第４の実施形態に係るページングエージェントの機能ブロック図である。
【図１６】本発明の第４の実施形態における全体動作を示すシーケンス図である。
【図１７】本発明の第４の実施形態において、ページング要求パケットを送信する動作を説明するための図である。
【図１８】本発明の第５の実施形態に係るアクセスポイントの機能ブロック図である。
【図１９】本発明の変更例１に係るアクセスポイントの機能ブロック図である。
【符号の説明】
【０１３２】
ＡＲ、ＡＲ１、ＡＲ２、ＡＲ３、ＡＲ４、ＡＲ５…アクセスルータ
ＡＰ、ＡＰ１ａ、Ａｐ１ｎ、ＡＰ２ａ、ＡＰ２ｎ…アクセスポイント
ＩＲ１、ＩＲ２、ＩＲ３、ＩＲ４…中継ルータ
ＭＮ、ＭＮ＃１…モバイルノード
ＰＡ…ページングエージェント
１１…モード切替部
１２…通常モード用制御部
１３…ページング制御モード用制御部
１４、４６…ページング要求パケット送信部
１５…ページング通知パケット受信部
１６…ページング通知確認パケット送信部
２１…ページング要求パケット受信部
２２…ページングエリア形成部
２３…ページングエリア管理部
２４…パケット検出部
２５、３３、４３…ページング通知パケット送信部
２６…ページング通知確認パケット受信部
２７…パケット転送部
２８…マルチキャスト参加パケット送信部
３１、４１…パケット受信部
３２…マルチキャストアドレス管理部
３４、４４…パケットルーティング部
３５、４５…ルーティングテーブル管理部
４７…マルチキャストグループ管理部
５１…物理インタフェース
５２…リンク制御部
５３…ＩＰ制御部
５４…ブリッジ制御部
５５…ＩＰページング制御部
【図１】
2005033786.tif 000003
【図２】
2005033786.tif 000004
【図３】
2005033786.tif 000005
【図４】
2005033786.tif 000006
【図５】
2005033786.tif 000007
【図６】
2005033786.tif 000008
【図７】
2005033786.tif 000009
【図８】
2005033786.tif 000010
【図９】
2005033786.tif 000011
【図１０】
2005033786.tif 000012
【図１１】
2005033786.tif 000013
【図１２】
2005033786.tif 000014
【図１３】
2005033786.tif 000015
【図１４】
2005033786.tif 000016
【図１５】
2005033786.tif 000017
【図１６】
2005033786.tif 000018
【図１７】
2005033786.tif 000019
【図１８】
2005033786.tif 000020
【図１９】
2005033786.tif 000021